(57)【要約】      （修正有）【課題】卓上用紙箱を組み立てる前の状態で配布する場合において、配布を受けた者が荷物の点数が多く煩雑に感じることのない卓上用紙箱を提供する。【解決手段】所定規格の大きさを有するシート状の第１の収納物を収納するための第１の収納領域２ｓと、前記第１の収納物以外の収納物である第２の収納物を収納するための第２の収納領域３ｓとを備えた卓上用紙箱１において、これら第１及び第２の収納領域２ｓ、３ｓをともに共通の１枚の紙を折り曲げることにより形成する。【選択図】図４
0003171059.tif 000002
【実用新案登録請求の範囲】
【請求項１】
所定規格の大きさを有するシート状の第１の収納物を収納するための第１の収納領域と、前記第１の収納物以外の収納物である第２の収納物を収納するための第２の収納領域とを備えた卓上用紙箱であって、これら第１及び第２の収納領域がともに共通の１枚の紙を折り曲げることにより形成したものであることを特徴とする卓上用紙箱。
【請求項２】
紙の折り曲げ稜線上に設けた係止孔と、この係止孔を設けた紙の折り曲げ稜線から所定距離離間した位置に設けた通過孔と、前記通過孔を通過した状態で第１又は第２の収納領域を形成するとともに該通過孔を通過した状態で係止孔に係合することにより内部に筆記具を収納可能な空間を形成する差し込み突起とを備えた請求項１記載の卓上用紙箱。
【請求項３】
外面に印刷を施すための印刷領域を有する請求項１又は２記載の卓上用紙箱。
【考案の詳細な説明】
【技術分野】
【０００１】
本考案は、所定規格の大きさを有するシート状の第１の収納物を収納するための第１の収納領域と、前記第１の収納物以外の収納物である第２の収納物を収納するための第２の収納領域とを備えた卓上用紙箱に関する。
【背景技術】
【０００２】
従来より、卓上に載置され、ポケットティッシュ等に代表される所定規格の大きさを有するシート状の第１の収納物を収納するための第１の収納領域と、前記第１の収納物以外の収納物である第２の収納物を収納するための第２の収納領域とを備えた卓上用紙箱が種々考えられてきている。このような卓上用紙箱は、第１の収納領域にポケットティッシュ等を収納した状態で、第２の収納領域を貯金箱やゴミ箱等として利用可能である（例えば、特許文献１を参照）。従来のこの種の卓上用紙箱は、１枚の紙を折り曲げることにより第１の収納領域の外壁を形成するとともに、他の１枚の紙を折り曲げることにより第２の収納領域の外壁を形成し、第２の収納領域の外壁を第１の収納領域の外壁に取り付けることにより形成されるようにしている。
【０００３】
ところで、この種の卓上用紙箱を宣伝媒体として利用するにあたって、嵩張らないようにすべく、箱状に組み立てた状態でなく組み立て前の紙を配布する態様が採用されることがある。しかし、従来の卓上用紙箱においてこの態様を採用する場合、それぞれ第１及び第２の収納領域として形成するための２枚の紙を配布する必要があり、配布を受けた者が持ち帰る際に荷物の点数が多くなり煩雑に感じられる不具合があった。
【先行技術文献】
【特許文献】
【０００４】
【特許文献１】特開２００４−６７２４２号公報
【考案の概要】
【考案が解決しようとする課題】
【０００５】
本考案は以上の点に着目し、卓上用紙箱として組み立てる前の状態で配布する場合において、配布を受けた者が荷物の点数が多く煩雑に感じる不具合の発生を抑制することを目的とする。
【課題を解決するための手段】
【０００６】
すなわち本考案に係る卓上用紙箱は、所定規格の大きさを有するシート状の第１の収納物を収納するための第１の収納領域と、前記第１の収納物以外の収納物である第２の収納物を収納するための第２の収納領域とを備えた卓上用紙箱であって、これら第１及び第２の収納領域が共通の１枚の紙を折り曲げることにより形成したものであることを特徴とする。
【０００７】
このようなものであれば、共通の１枚の紙を折り曲げることにより第１及び第２の収納領域が形成されるので、組み立て前の紙を配布する場合、２枚の紙を配布する特許文献１記載のものと異なり、１枚の紙を配布すればよい。従って、配布を受けた者が荷物の点数が多く煩雑に感じる不具合の発生を抑制できる。
【０００８】
このような卓上用紙箱をさらに有効に利用できるようにするための構成として、紙の折り曲げ稜線上に設けた係止孔と、この係止孔を設けた紙の折り曲げ稜線から所定距離離間した位置に設けた通過孔と、前記通過孔を通過した状態で第１又は第２の収納領域を形成するとともに該通過孔を通過した状態で係止孔に係合することにより内部に筆記具を収納可能な空間を形成する差し込み突起とを備えたものが挙げられる。
【０００９】
このような卓上用紙箱を宣伝媒体として利用するための構成として、外面に印刷を施すための印刷領域を有するものが挙げられる。このようなものであれば、印刷領域に宣伝のための文字や図形等を印刷して卓上に載置することにより、宣伝のための文字や図形に着目させることができるからである。
【考案の効果】
【００１０】
本考案によれば、卓上用紙箱として組み立てる前の状態で配布する場合において、配布を受けた者が荷物の点数が多く煩雑に感じる不具合の発生を抑制することができる。
【図面の簡単な説明】
【００１１】
【図１】本考案の一実施形態に係る卓上用紙箱を示す全体斜視図。
【図２】同実施形態に係る卓上用紙箱を示す正面図。
【図３】図２におけるＡ−Ａ断面図。
【図４】同実施形態に係る卓上用紙箱の使用態様を示す図。
【図５】同実施形態に係る卓上用紙箱を示す展開図。
【考案を実施するための形態】
【００１２】
本考案の一実施形態について、図１〜図５を参照しつつ以下に述べる。
【００１３】
本実施形態の卓上用紙箱１は、図１〜図４に示すように、内部に所定規格の大きさを有するシート状の第１の収納物を収納するための第１の収納領域２ｓを備えた内箱部２と、内部に前記第１の収納物以外の収納物である第２の収納物を収納するための第２の収納領域３ｓを備えた外箱部３とを備え、これら内箱部２と外箱部３とをともに図５に示すような共通の１枚の紙Ｓを折り曲げることにより形成したものである。
【００１４】
前記内箱部２は、図３及び図４に示すように、前面を構成する内前壁２ａと、この内前壁２ａの一方の側端縁２ａ１に隣接し一方の側面を構成する第１の内側壁２ｂと、この第１の内側壁２ｂの後端縁２ｂ１に隣接し背面を構成する内背壁２ｃと、この内背壁２ｃの前記第１の内側壁２ｂと反対側の側端縁２ｃ３に隣接し他方の側面を構成する第２の内側壁２ｄと、前記内背壁２ｃの上端縁２ｃ１に隣接し上面を構成する内頂壁２ｅと、前記内背壁２ｃの下端縁２ｃ２に隣接し下面を構成する内底壁２ｆとを備えた直方体状をなす。この内箱部２は、これら内前壁２ａ、第１及び第２の内側壁２ｂ、２ｄ、内背壁２ｃ、内頂壁２ｅ及び内底壁２ｆにより区画される第１の収納領域２ｓを内部に有する。
【００１５】
前記内前壁２ａの中央部には、この第１の収納領域２ｓから第１の収納物を引き出すための収納物引き出し孔２ａ３が設けられている。また、この内前壁２ａの第１の収納領域２ｓと反対側の面はこの卓上用紙箱１の外面を形成し、前記孔以外の全体が外面に印刷を施すための印刷領域２Ｘである。
【００１６】
前記第１の内側壁２ｂの前端縁は、前記内前壁２ａの一方の側端縁２ａ１と一致している。
【００１７】
前記内背壁２ｃの一方の側端縁は、前記第１の内側壁２ｂの後端縁２ｂ１と一致している。一方、前記内背壁２ｃの他方の側端縁からは、第１の差し込み突起２ｇが設けられている。
【００１８】
さらに、前記第２の内側壁２ｄの前端縁は前記内前壁２ａの他方の側端縁２ａ２と一致していて、その後端には前記第１の差し込み突起２ｇを通過させるための突起通過孔２ｈが設けられている。換言すれば、前記第２の内側壁２ｄの前端縁及び前記内前壁２ａの他方の側端縁２ａ２を形成する折り曲げ稜線から後方に所定距離すなわちこの内箱部２の奥行き寸法だけ離間した位置に、突起通過孔２ｈが設けられている。また、この第２の内側壁２ｄの第１の収納領域２ｓと反対側の面は外部に露出していて、その全体が外面に印刷を施すための印刷領域２Ｘである。そして、この第２の内側壁２ｄの前端縁及び前記内前壁２ａの他方の側端縁２ａ２を形成する折り曲げ稜線には、前記突起通過孔２ｈを通過させた第１の差し込み突起２ｇを係合させこの第１の差し込み突起２ｇを係止させるための第１の係止孔２ｉが設けられている。また、前記第１の差し込み突起２ｇには、その中間部に第１及び第２の折り曲げ稜線２ｇ１、２ｇ２が形成されており、これら第１及び第２の折り曲げ稜線２ｇ１、２ｇ２を折り曲げることにより突起通過孔２ｈを通過させた第１の差し込み突起２ｇが第１の係止孔２ｉに向けて延出するように形成されている。そして、これら第１の差し込み突起２ｇと第１の係止孔２ｉとを係合させることにより内背壁２ｃの抜け止めが行われる。ここで、第１の差し込み突起２ｇを第１の係止孔２ｉに係合させた状態では、第１の差し込み突起２ｇの突起通過孔２ｈと第１の係止孔２ｉとの間の部位が外部に露出し、その内部に上下方向に連通する筒状の筆記具収納空間２ｇｓが形成される。この筆記具収納空間２ｇｓの内部には、筆記具を収納可能にしている。加えて、前記第１の差し込み突起２ｇの第２の折り曲げ稜線２ｇ２に沿って第１の差し込み突起２ｇの破断を補助する手段であるミシン目２ｇ３が設けられている。筆記具を収納する機能が不要である場合には、前記ミシン目２ｇ３にそって第１の差し込み突起２ｇを破断することにより、第１の差し込み突起２ｇの突起通過孔２ｈと第１の係止孔２ｉとの間の部位が第２の内側壁２ｄと略隙間なく対向する状態で第１の差し込み突起２ｇを第１の係止孔２ｉに係止させる態様を選択できるようにしている。
【００１９】
前記内頂壁２ｅの後端縁は、前記内背壁２ｃの上端縁２ｃ１と一致しており、その前端縁２ｅ２からは内上蓋片２ｅ１を垂下させるように折り曲げて設けている。そして、この内上蓋片２ｅ１を前記内前壁２ａに近接又は当接させることにより、この内頂壁２ｅの位置決めが行われる。
【００２０】
前記内底壁２ｆの後端縁は、前記内背壁２ｃの下端縁２ｃ２と一致しており、その前端縁２ｆ２からは内下蓋片２ｆ１を起立させるように折り曲げて設けている。そして、この内下蓋片２ｆ１を前記内前壁２ａに近接又は当接させることにより、この内底壁２ｆの位置決めが行われる。
【００２１】
前記外箱部３は、図１〜図４に示すように、前面を構成する外前壁３ａと、この外前壁３ａの一方の側端縁３ａ１に隣接し一方の側面を構成する第１の外側壁３ｂと、この第１の外側壁３ｂの後端縁３ｂ１に隣接し背面を構成する外背壁３ｃと、この外背壁３ｃの前記第１の外側壁３ｂと反対側の側端縁３ｃ１に隣接し他方の側面を構成する第２の外側壁３ｄと、前記外背壁３ｃの上端縁３ｃ２に隣接し上面を構成する外頂壁３ｅと、前記外背壁３ｃの下端縁３ｃ３に隣接し下面を構成する外底壁３ｆとを備えた直方体状をなす。この外箱部３は、これら外前壁３ａ、第１及び第２の外側壁３ｂ、３ｄ、外背壁３ｃ、外頂壁３ｅ及び外底壁３ｆにより区画される第２の収納領域３ｓを内部に有する。また、前記第１の外側壁３ｂ、前記外背壁３ｃ、前記第２の外側壁３ｄ、前記外頂壁３ｅ及び前記外底壁３ｆの第２の収納領域３ｓと反対側の面はこの卓上用紙箱１の外面を形成し、その全体が外面に印刷を施すための印刷領域３Ｘである。
【００２２】
前記外前壁３ａは、前記内背壁２ｃと共通の部位を利用して形成している。換言すれば、前記内背壁２ｃの第１の収納領域２ｓの背面を形成する面の裏側の面が、前記外前壁３ａの第２の収納領域３ｓの前面を形成する面である。
【００２３】
前記第１の外側壁３ｂの前端縁は、前記外前壁３ａの一方の側端縁に隣接している。また、第１の外側壁３ｂの前端縁からは、第２の差し込み突起３ｇを突出させて設けている。この第２の差し込み突起３ｇは、前記内前壁２ａの一方の側端縁及び第１の内側壁２ｂの前端縁を形成する折り曲げ稜線に形成した第２の係止孔２ｊに係止させることにより、この第１の外側壁３ｂの位置決めが行われる。そして、この第１の外側壁３ｂの上端縁及び下端縁からは上舌片３ｂ２及び下舌片３ｂ３を内方に折り曲げて設けている。
【００２４】
前記外背壁３ｃの一方の側端縁は、前記第１の外側壁３ｂの後端縁３ｂ１と一致している。一方、前記外背壁３ｃの他方の側端縁３ｃ１は、前記第２の外側壁３ｄの後端縁と一致している。さらに、この外背壁３ｃの上端縁３ｃ２は、外頂壁３ｅの後端縁と一致している。そして、この外背壁３ｃの下端縁３ｃ３は、外底壁３ｆの後端縁と一致している。
【００２５】
前記第２の外側壁３ｄは、前記第２の内側壁２ｄの後端縁から同一平面上に後方に延伸している。換言すれば、前記第２の内側壁２ｄと、この第２の外側壁３ｄとは連続して一体をなしており、全体として直方体状をなすこの卓上用紙箱１の一側面を形成している矩形状の壁体を形成している。前記突起通過孔２ｈは、これら第２の内側壁２ｄと第２の外側壁３ｄとの境界に形成している。また、前記第１の外側壁３ｂの前端縁からは第２の差し込み突起３ｇを突出させて設けていて、第２の差し込み突起３ｇを内前壁２ａと第１の内側壁２ｂとの境界である折り曲げ稜線に設けた第２の係止孔に係止させることにより第１の外側壁３ｂの抜け止めを行うようにしている。そして、この第２の外側壁３ｄの上端縁及び下端縁からは上舌片３ｄ２及び下舌片３ｄ３を内方に折り曲げて設けている。
【００２６】
前記外頂壁３ｅには、外箱部３を貯金箱として利用する際に貨幣を第２の収納領域３ｓに投入するための投入口である貨幣投入口３ｅ３が形成されているとともに、この貨幣投入口３ｅ３の外方には、この貨幣投入口３ｅ３を包囲する形状にミシン目３ｅ４が形成されている。このミシン目３ｅ４は、外箱部３をゴミ箱として利用する際にゴミを第２の収納領域３ｓに投入するための投入口であるゴミ投入口の開口端となるべき位置に設けてあり、このミシン目３ｅ４に沿って外頂壁３ｅを破断することにより外箱部３をゴミ箱として好適に利用することができる。この外頂壁３ｅの後端縁は、前記外背壁３ｃの上端縁３ｃ２と一致しており、その前端縁３ｅ２からは外上蓋片３ｅ１を垂下させるように折り曲げて設けている。そして、この外上蓋片３ｅ１を前記内前壁２ａに近接又は当接させることにより、この外頂壁３ｅの位置決めが行われる。
【００２７】
前記外底壁３ｆの後端縁は、前記外背壁３ｃの下端縁３ｃ３と一致しており、その前端縁３ｆ２からは外下蓋片３ｆ１を起立させるように折り曲げて設けている。この外下蓋片３ｆ１を前記内前壁２ａに近接又は当接させることにより、この外底壁３ｆの位置決めが行われる。また、この外底壁３ｆからは、前記差し込み突起内に先端部を位置付けることが可能な下突起３ｈを延出させて設けている。この下突起３ｈの基端を構成する折り曲げ稜線３ｈ１に沿って下突起３ｈの破断を補助する手段であるミシン目３ｈ２を設けている。また、この下突起３ｈには、前記第１の差し込み突起２ｇに下方から当接する規制片３ｈ３を設けているとともに、この下突起３ｈの先端部は前記筆記具収納空間２ｇｓの内部に挿入可能にしている。ここで、下突起３ｈの先端部を筆記具収納空間２ｇｓの内部に挿入し、前記規制片３ｈ３を前記第１の差し込み突起２ｇに下方から当接させることにより、前記筆記具収納空間２ｇｓの形状が保持されるようにしている。そして、筆記具を収納する機能が不要である場合には、前記ミシン目３ｈ２にそって下突起３ｈを破断することにより見栄えを整える態様を選択できるようにしている。
【００２８】
ここで、図５に示すような共通の１枚の紙Ｓからこの卓上用紙箱１を組み立てる手順を以下に示す。まず、内前壁２ａの一方の側端縁２ａ１すなわち第１の内側壁２ｂの前端縁、内前壁２ａの他方の側端縁２ａ２すなわち第２の内側壁２ｄの前端縁、及び第１の内側壁２ｂの後端縁２ｂ１すなわち内背壁２ｃの一方の端縁とそれぞれなるべき折り曲げ稜線を順次形成して内前壁２ａと内背壁２ｃとが対向する状態とする。それから、第１の差し込み突起２ｇを突起通過孔２ｈに挿し通し、さらにこの第１の差し込み突起２ｇの折り曲げ稜線２ｇ１、２ｇ２を順次形成し、該第１の差し込み突起２ｇの先端部を第１の係止孔２ｉに係止させる。その後、内背壁２ｃの上端縁２ｃ１すなわち内頂壁２ｅの後端縁、内頂壁２ｅの前端縁２ｅ２すなわち内頂壁２ｅと内上蓋片２ｅ１との境界、内背壁２ｃの下端縁２ｃ２すなわち内底壁２ｆの後端縁、及び内底壁２ｆの前端縁２ｆ２すなわち内底壁２ｆと内下蓋片２ｆ１との境界とそれぞれなるべき折り曲げ稜線を順次形成し、内上蓋片２ｅ１及び内下蓋片２ｆ１を内前壁２ａに当接又は接近させることにより内部に第１の収納領域２ｓを備えた内箱部２を形成する。次いで、それぞれ第１の外側壁３ｂの後端縁すなわち外背壁３ｃの一方の端縁、外背壁３ｃの他方の端縁３ｃ１すなわち第２の外側壁３ｄの後端縁、及び第１の外背壁３ｃと第２の差し込み突起３ｇとの境界とそれぞれなるべき折り曲げ稜線を順次形成し、第２の差し込み突起３ｇを第２の係止孔２ｊに係止させる。それから、第１及び第２の外側壁３ｂ、３ｄと上舌片３ｂ２、３ｄ２との境界、及び第１及び第２の外側壁３ｂ、３ｄと下舌片３ｂ３、３ｄ３との境界とそれぞれなるべき折り曲げ稜線を順次形成して上舌片３ｂ２、３ｄ２及び下舌片３ｂ３、３ｄ３が内側に向かうようにする。そして、外背壁３ｃの上端縁３ｃ２すなわち外頂壁３ｅの後端縁、外頂壁３ｅの前端縁３ｅ２すなわち外頂壁３ｅと外上蓋片３ｅ１との境界、外背壁３ｃの下端縁３ｃ３すなわち外底壁３ｆの後端縁、及び外底壁３ｆの前端縁３ｆ２すなわち外底壁３ｆと外下蓋片３ｆ１との境界とそれぞれなるべき折り曲げ稜線を順次形成し、外上蓋片３ｅ１及び外下蓋片３ｆ１を内前壁２ａに当接又は接近させることにより内部に第２の収納空間３ｓを有する外箱部３を形成する。その後、下突起３ｈを折り曲げてその先端部を第１の差し込み突起２ｇが形成する筆記具収納空間２ｇｓ内に挿入するとともに規制片３ｈ１を第１の差し込み突起２ｇに下方から当接させる。なお、この紙Ｓの各折り曲げ稜線となるべき部位には、予め折り癖を設けている。また、図５において、折り癖を設けている箇所は一点鎖線により示している。
【００２９】
以上に述べたように、本実施形態の卓上用紙箱１の構成によれば、共通の１枚の紙Ｓを折り曲げることにより第１の収納領域２ｓを有する内箱部２及び第２の収納領域３ｓを有する外箱部３が同時に形成されるので、卓上用紙箱１として組み立てる前の状態の紙Ｓを配布する場合、２枚の紙を配布する特許文献１記載のものと異なり、１枚の紙Ｓを配布すればよい。従って、配布を受けた者が、荷物の点数が多く煩雑に感じる不具合の発生を抑制できる。
【００３０】
また、紙の折り曲げ稜線上に設けた第１の係止孔２ｉと、この第１の係止孔２ｉを設けた紙の折り曲げ稜線から所定距離離間した位置に設けた突起通過孔２ｈと、前記突起通過孔２ｈを通過した状態で第１の収納領域２ｓを形成するとともに該突起通過孔２ｈを通過した状態で第１の係止孔２ｉに係合することにより内部に筆記具を収納可能な筆記具収納空間２ｇｓを形成する第１の差し込み突起２ｇとを備えているので、このような卓上用紙箱１をペン立てとしても使用でき、さらに有効に利用できる。
【００３１】
そして、外面に印刷を施すための印刷領域２Ｘ、３Ｘを有するので、印刷領域２Ｘ、３Ｘに宣伝のための文字や図形等を印刷して卓上に載置することにより、宣伝のための文字や図形に着目させることができ、卓上用紙箱１を宣伝媒体として有効に利用できる。
【００３２】
なお、本考案は以上に述べた実施形態に限らない。
【００３３】
例えば、第１の収納領域内には、ポケットティッシュに限らず、ウェットティッシュや油取り紙等、所定規格の大きさを有する他のシート状のものを収納するようにしてもよい。
【００３４】
また、上述した実施形態における第１の差し込み突起について、該第１の差し込み突起２ｇの突起通過孔２ｈと第１の係止孔２ｉとの間の部位が第２の内側壁２ｄと略隙間なく対向する状態で第１の差し込み突起２ｇを第１の係止孔２ｉに係止させる態様を当初から採用してもよい。換言すれば、第１の差し込み突起２ｇを第１の係止孔２ｉに係止させた状態で内部に筒状の空間が形成されない態様を当初から採用するようにしてもよい。
【００３５】
加えて、印刷領域の印刷内容は任意に設定してよく、卓上用紙箱の外面全体を無地のものとして形成するようにしてもよい。
【００３６】
その他、本考案の趣旨を損ねない範囲で種々に変更してよい。
【符号の説明】
【００３７】
１…卓上用紙箱
２ｓ…第１の収納領域
２ｇ…（第１の）差し込み突起
２ｇｓ…筆記具収納空間
２ｈ…（突起）通過孔
２ｉ…（第１の突起）係止孔
３ｓ…第２の収納領域
Ｓ…紙
【図１】
0003171059.tif 000003
【図２】
0003171059.tif 000004
【図３】
0003171059.tif 000005
【図４】
0003171059.tif 000006
【図５】
0003171059.tif 000007